【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
インターネット上で利用できる特定の情報ファイルのアドレスに漢字、ひらがな、およびカタカナを単独で或いは組み合わせて認識容易な表示名を付与すると共に、当該表示名と当該情報ファイルのインターネット上のアドレスを格納したメモリデータと、当該表示名の入力を受けると、当該情報ファイルの前記アドレスを含むファイル名を出力して当該情報ファイルのデータを表示する処理を行う処理プログラムとを備えてなるインターネット用アドレス変換プログラムを記録した記録媒体。
【請求項２】
インターネット上で利用できる特定の情報ファイルのアドレスに漢字、ひらがな、およびカタカナを単独で或いは組み合わせて認識容易な表示名を付与すると共に、当該表示名と当該情報ファイルのインターネット上のアドレスを格納するメモリ部と、前記メモリ部に当該表示名並びにアドレスを入力処理する手段、及び当該表示名の入力を受けると、メモリ部の格納データに基づいて当該情報ファイルの前記アドレスを含むファイル名を出力する手段、を備えた処理部とで構成したインターネット用アドレス変換装置。
【請求項３】
予めインターネット上で利用できる特定の情報ファイルのアドレスに漢字、ひらがな、およびカタカナを単独で或いは組み合わせて認識容易な表示名を付与し、当該表示名と当該情報ファイルのインターネット上のアドレスを格納しているメモリ部及び、当該表示名の入力を受けると、メモリ部の格納データに基づいて当該情報ファイルの前記アドレスを含むファイル名を出力する手段を備えた処理部とで構成したインターネット用アドレス変換装置を、プロバイダの通信プログラムを動作させるハードウエアに、或はインターネット上のホームページ（情報ファイル）を動作するコンピュータに組み込み、インターネット上の情報ファイルを利用しようとする者が利用端末で、前記変換装置を備えたプロバイダまたは当該ホームページを呼び出し、必要とする当該情報ファイルの表示名を入力することで、当該情報ファイルを指定するか或は提示された情報ファイルから選択して必要とする当該情報ファイルを指定することを特徴とするインターネット上の情報ファイルの指定方法。
【手続補正２】
【補正対象書類名】明細書
【補正対象項目名】発明の詳細な説明
【補正方法】変更
【補正の内容】
【発明の詳細な説明】
【０００１】
【産業上の利用分野】
本発明は、インターネット上で利用できる各種情報から、利用せんとする情報ファイルのアドレスを指定してファイルを開く際に使用するインターネット用アドレス変換プログラムを記録した記録媒体及びインターネット用アドレス変換装置並びにインターネット上の情報ファイルの指定方法に関するものである。
【０００２】
【従来の技術】
インターネットに接続されたコンピュータに記録された公開情報（データ）は、端末コンピュータを介して一般人が入手できる。そのデータの具体的入力手段としては、端末コンピュータの操作によって所謂プロバイダを介し、ホームページ閲覧用のプログラムを動作させ、インターネット上の当該ファイルのアドレスを指定して必要情報を入手している。また前記アドレスを予め知っていない場合には、「検索エンジン」と称するホームページの概要とアドレスを集積したデーターベースと連動したホームページを利用し、必要する情報に関連する適宣なキーワードを入力して検索し、検索結果から目的の情報ファイルを「リンク」機能を使用して閲覧する手段が広く採用されている。
【０００３】
【発明が解決しようとする課題】
ところで、情報ファイル（ホームページ）は、例えば「ｈｔｔｐ：／／ｗｗｗ．ａｉｕｅｏ．ｃｏ．ｊｐ／ａｂｃ／ｉｎｄｅｘ．ｈｔｍｌ」のように、「ｈｔｔｐ：／／」は目的情報がハイパーテキストを転送するプロトコルであることの指定、「ｗｗｗ．ａｉｕｅｏ．ｃｏ．ｊｐ」が目的情報があるコンピユータの名称（通常プロバイダのアドレスをドメイン名で表示）の指定、「／ａｂｃ／ｉｎｄｅｘ．ｈｔｍｌ」が、前記コンピユータで管理されている目的情報が格納されている位置（ホルダー名）及び名称（ファイル名）の指定のように記載されている。
【０００４】
前記のアドレスに基づいてインターネット上の情報ファイルを開いて必要情報を入手しようとした場合には、予めそのアドレスを他の媒体（書籍、ＴＶ広告等）からの情報で入手していることが必要であるが、前記のアドレスが、英文字や英記号によって表示されているものであるから、第一に覚え難いし、メモするのも繁雑であること、更に当該アドレスの入力自体も、その後半箇所が関連の無い記号、文字の連続であり、而も似たような表現も多いので間違い易い。
【０００５】
そこで本発明は、インターネット上の情報ファイル（以下「ホームページ」に統一する）を表示させる際に、インターネット上の必要とするアドレスの他に、漢字、ひらがな、およびカタカナを単独で或いは組み合わせを使用した別の表示を作成し、これを利用する方法並びにその使用のための装置等を提案したものである。
【０００６】
【課題を解決するための手段】
本発明は、第一にインターネット上で利用できる特定の情報ファイル（ホームページ）のアドレスに漢字、ひらがな、およびカタカナを単独で或いは組み合わせて認識容易な表示名（以下「第二アドレス名」という）を予め付与しておくものであり、前記の第二アドレス名とインターネット上のアドレス（以下「第一アドレス」という）は、その組み合わせをデータとして所定のメモリに格納しておくものである。
【０００７】
本発明に係る記録媒体は、前記の第一アドレスと第二アドレス名の組み合わせデータと、第二アドレス名の入力を受けると第一アドレスを含むファイル名を出力して、当該アドレスのホームページを開いて表示し、前記メモリデータに当該表示名のデータを見い出せない場合には、インターネット上の他の検索エンジンを呼び出し、当該表示名を使用して得た検索結果を表示する処理を行う処理プログラムとを備えてなるものである。
【０００８】
また本発明に係るインターネット用アドレス変換装置は、前記の第一アドレスと第二アドレス名を格納するメモリ部と、前記メモリ部に前記第一アドレスと第二アドレス名を入力処理する手段、及び当該表示名の入力を受けると、メモリ部の格納データに基づいて当該情報ファイルの前記アドレスを含むファイル名を出力する手段、及びメモリ部に当該表示名のデータを見い出せない場合には、インターネット上の他の検索エンジンを利用して得たアドレスを含むファイルデータを出力する手段を備えた処理部とで構成したものである。
【０００９】
更に本発明に係るインターネット上の情報ファイルの指定方法は、前記変換装置を、プロバイダの通信プログラムを動作させるハードウエアに或はインターネット上のホームページ（情報ファイル）を動作させるコンピュータに組み込み、インターネット上の情報ファイルを利用しようとする者が利用端末から、前記変換装置を備えたプロバイダの当該プログラムまたは当該ホームページを呼び出し、必要とする情報ファイルの名称を入力することで、当該情報ファイルを指定するか或は提示された検索結果のファイルから選択して必要とする情報ファイルを指定することを特徴とするものである。
【００１０】
従って記録媒体を用いる場合には、利用者の端末コンピュータ（インターネットと接続できる通信機能を具備した端末を含む）に前記録媒体の格納プログラム及び格納データをインストールしたり、変換装置を用いる場合には、プロバイダやホームページのコンピュータ、利用端末機器（前記コンピュータや通信モデム等独立機器となっている入出力インターフェイスを含む）に、所定のプログラム並びにデータを直接組み込むんだり、記録媒体（ＣＤ，ＦＤ、ＩＣチップ）の形で組み込むもので、インターネット上のホームページを開く場合には、使い易い第二アドレス名を使用すると、メモリデータに当該第二アドレス名と対応する第一アドレスが存在すると、第一アドレスを含むファイル名を出力して当該ファイルが開いて所望の情報を得ることができ、該当する第一アドレスがメモリデータとして存在しない場合には、当該表示名を検索エンジンのキーワードとして検索し、その検索結果が利用端末に表示されることになるものである。
【００１１】
【発明の実施の形態】
次に本発明の実施形態について説明する。
第一実施形態
第一実施形態は、図１に例示したもので、本発明の変換装置をホームページとしてインターネットに接続した例について説明する。
【００１２】
インターネットＡは周知の通り通信網に所定の約束事を以て接続したコンピュータネットワークであり、各コンピュータＢは所定のアドレス（ドメイン名）を有して正規に通信網に接続されているものや、インターネットと正規に接続した前記コンピュータ（所謂接続業者：プロバイダ）Ｂを介して接続して前記ドメイン名を頭にしたユーザー名のアドレスを有するコンピュータＣが含まれ、インターネットを利用する者が見ることができる情報ファイル（ホームページ）は、前記の各コンピュータ内に存在する。従って前記のアドレスによって情報ファイルを特定することができるものである。またインターネットのホームページの一形態として、「検索エンジン」Ｄと称せられるものは、各ホームページの概要と第一アドレスを蓄積したデーターベースを備え、所定のキーワードでホームページ（情報ファイル）を検索でき、検索結果を「リンク」機能を使用して目的の情報ファイル（ホームページ）を閲覧できるシステムも接続されている。
【００１３】
本発明は、前記のインターネット上で定められているアドレス（第一アドレス）の他に、「漢字」「ひらがな」「カタカナ」を単独で或は組み合わせて利用者の認識容易な表示形態を採用した表示名（第二アドレス名）を予め付与しておき、このデータを利用するものである。
【００１４】
そこで本発明の実施形態であるインターネット用アドレス変換装置１は、インターネットＡに接続されたコンピュータであり、通常のホームページである。この変換装置１は、データを格納するメモリ部１１と、所定のプログラムをもってデータ処理を行う処理部１２と、処理データの入出力を行う入出力部１３を備え、特にメモリ部１１は、前記の第一アドレスと第二アドレス名を格納しておくものであり、処理部１２は、前記メモリ部１１に前記第一アドレスと第二アドレス名を入力処理する手段と、第二アドレス名の入力を受けると、メモリ部１１の格納データに基づいて第一アドレスを含むファイル名を出力する手段と、メモリ部１１に当該表示名を見いだせない場合には、インターネットＡ上のほかの検索エンジンＤを利用して、当該表示名をキーワードとして得たアドレスを含むファイルデータを出力する手段を実現するプログラムを備えてなるものである。
【００１５】
而してインターネットの利用者に対してホームページによる情報提供者は、予め自己の第二アドレス名を宣伝普及させておき、而も前記の第二アドレス名は、漢字、ひらがな、およびカタカナを単独で或いは組み合わせて容易に認識できる表示名を使用することで、容易に認識され記憶されるものである。そこでインターネットを利用して所望の情報ファイル（ホームページ）を閲覧するには、自己の端末コンピュータ２からインターネットにアクセスして変換装置（ホームページ）１を呼び出し、閲覧しようとするホームページの第二アドレス名を入力すると、変換装置１から第一アドレスを含むファイル名が出力され、当該ホームページを開くものである。また変換装置１のメモリ部１１に当該表示名に対応する第一アドレスを含むファイル名が存在しない場合には、他の検索エンジンＤに対して当該表示名をキーワードとする検索結果を端末に表示出力し、利用者は検索結果に基づいて必要とするホームページに辿り着くことになる。
【００１６】
従って第二アドレス名が普及すると、メモリ部の変換データ量増えて、日本人に馴染み易い第二アドレス名でのホームページの選択が可能となるものであり、更に変換装置１に、前記の変換データを順次入力することで変換データの蓄積が
なされ、更に使い易くなる。
【００１７】
第二実施形態
第二実施形態は、インターネット利用者（端末コンピュータ使用者）がインターネットに接続する際に介在するプロバイダＢに、本発明手段を実現する変換装置１を組み込んだもので、使用形態としては、インターネット利用者がプロバイダのコンピュータと接続し、その使用形態を選択する際に、第二アドレス名の入力を受けると、第一アドレスを含むファイル名に変換して出力して、当該アドレスの情報ファイル（ホームページ）を開くようにするものである。
【００１８】
第三実施形態
第三実施形態は、利用端末自体に本発明手段を組み込むこともので、第二アドレス名の付与が広く普及した際に効果的な手段で、第一アドレスと第二アドレス名のメモリデータと、第二アドレス名の入力をうけると第一アドレスを含むファイル名を出力してインターネット上の所望の情報ファイルを開いて閲覧でき、また当該表示名に対応する第一アドレスを含むファイル名が見い出せないときにはインターネット上の検索エンジンＤを呼び出し、当該表示名をキーワードとして所望の情報ファイルを選択する検索処理等を行う処理プログラムとを適宜な記録媒体に記録し、端末コンピュータにインストールすることで、当該利用端末の使用によって第二アドレス名によるホームページの指定を行うようにするものである。また利用端末自体にインストールせずに、入出力インターフェイス（通信モデム）に変換装置（ＩＣチップの形態等によって）を組み込むようにしても良い。
【００１９】
【発明の効果】
以上のように本発明は、暗記に不都合なホームページのアドレスについて、理解し易い漢字、ひらがな、およびカタカナを単独で或いは組み合わせて記載した第二アドレス名を定め、第二アドレス名を第一アドレスを含むファイル名に変換してインターネット上で当該ホームページを指定して閲覧する指定方法並びに前記方法を実現する変換装置及び前記方法を実現するための必要データと処理プログラムを記録した記録媒体であり、ホームページの閲覧のためのインターネット利用者の操作を容易にしたものである。